(57)【要約】【課題】レンズホルダを移動させて原点位置を決定するだけでなく、一旦原点位置からレンズホルダが移動したとしても、所望の動作を正確に行っているかを確認することができる光学レンズ駆動装置を備えた光ピックアップ装置および光学レンズ駆動装置を提供すること。【解決手段】レンズホルダを光軸方向に移動させて、フォトセンサにおける受光素子で、第１の採光期間、第１の遮光期間、および第２の採光期間を検出し、レンズホルダが正常に可動しているか否かの動作確認を行うにあたって、第１の遮光期間を、ステップモータに入力される予め設定された規定パルス数によって、伝達方向変換機構の直線移動量に相当する大きさを検知して、動作確認の判断ができる長さに設定する。【選択図】図１
2009076123.tif 000002
【特許請求の範囲】
【請求項１】
レーザ光源と対物レンズを含む光学系の光路中に配し、当該光路中で発生する収差を補正するための光学レンズ駆動装置を有する光ピックアップ装置において、
前記光学レンズ駆動装置は、
光学レンズを支持するレンズ支持部と、前記回転駆動力を当該光学レンズの光軸方向の駆動力に変換する伝達方向変換機構と、遮蔽板とが一体に形成されたレンズホルダと、
回転駆動力を発生させるステップモータと、
前記レンズホルダと係合する摺動軸と、
前記摺動軸と前記ステップモータを固定載置するための支持基板と、
当該支持基板に取り付けられる、発光素子と受光素子からなるフォトセンサと、を備え、
前記レンズホルダを光軸方向に移動させて、前記受光素子で、第１の採光期間、第１の遮光期間、および第２の採光期間を検出し、前記レンズホルダが正常に可動しているか否かの動作確認を行うにあたって、
前記第１の遮光期間を、前記ステップモータに入力される予め設定された規定パルス数によって、前記伝達方向変換機構の直線移動量に相当する大きさだけ、前記レンズホルダが移動したかを検知して、動作確認の判断ができる長さに設定する
ことを特徴とする光ピックアップ装置。
【請求項２】
前記第１の採光期間と前記第１の遮光期間の間の、前記受光素子での採光量の第１の変局点を基準としてレンズ位置の原点検出を行い、
前記第１の遮光期間と前記第２の採光期間の間の、前記受光素子での採光量の第２の変局点を基準として、前記伝達方向変換機構の前記直線移動量を検出して前記動作確認を行う
ことを特徴とする請求項１に記載の光ピックアップ装置。
【請求項３】
前記第２の採光期間の後に、第２の遮光期間を設け、
前記第１の採光期間と前記第１の遮光期間の間の、前記受光素子での採光量の第１の変局点を基準としてレンズ位置の原点検出を行い、
前記第１の変局点と、前記第２の採光期間と前記第２の遮光期間の間の、前記受光素子での採光量の第３の変局点とを基準として、前記伝達方向変換機構の前記直線移動量を検出して、前記動作確認を行う
ことを特徴とする請求項１に記載の光ピックアップ装置。
【請求項４】
前記伝達方向変換機構は、前記ステップモータを構成する、前記回転駆動力を外部に伝えるための回転出力歯車と、前記レンズホルダに固定配置されたラック部により構成されており、
前記回転出力歯車と前記ラック部を歯合させて、前記ステップモータで発生する前記回転駆動力により前記レンズホルダを移動させる
ことを特徴とする請求項１から３のいずれか一項に記載の光ピックアップ装置。
【請求項５】
光ピックアップ装置に内挿されて、レーザ光源と対物レンズを含む光学系の光路中で発生する収差を補正するための光学レンズ駆動装置であって、
光学レンズと、
当該光学レンズを支持するレンズホルダと、
当該レンズホルダと係合する摺動軸と、
回転駆動力を発生させて、前記レンズホルダを移動させるステップモータと、
前記回転駆動力を前記光学レンズの光軸方向の駆動力に変換する伝達方向変換機構と、
前記摺動軸と前記ステップモータを固定載置するための支持基板と、
前記レンズホルダまたは前記伝達方向変換機構に付設された遮蔽板と、
前記支持基板に取り付けられ、前記遮蔽板の位置を検出する、発光素子と受光素子からなるフォトセンサと、を備え、
前記レンズホルダを光軸方向に移動させて、前記受光素子で、第１の採光期間、第１の遮光期間、および第２の採光期間を検出し、前記レンズホルダが正常に可動しているか否かの動作確認を行うにあたって、
前記第１の遮光期間を、前記ステップモータに入力される予め設定された規定パルス数によって、前記伝達方向変換機構の直線移動量に相当する大きさだけ、前記レンズホルダが移動したかを検知して、動作確認の判断ができる長さに設定する
ことを特徴とする光学レンズ駆動装置。
【発明の詳細な説明】
【技術分野】
【０００１】
本発明は、原点検出機能と動作確認機能を有した、光学レンズを光軸方向に摺動させる光学レンズ駆動装置を備えた光ピックアップ装置およびその光学レンズ駆動装置に関するものである。
【背景技術】
【０００２】
従来から、ＤＶＤ等の光ディスクの再生または記録を行う光ディスク装置に搭載される光ピックアップ装置は、光源から発振された光ビームを光ディスクの記録層に照射して、情報の読み込み、または書き込みをするための装置として用いられる。この光ピックアップ装置は、種々の要因により発生する波面収差の影響を受けて、情報の読み取りまたは書き込み性能が劣化することが問題となっている。この波面収差には、光ディスクのチルト角等に起因するコマ収差や、光ディスクのカバー層の厚み誤差や情報記録面の多層化に伴う球面収差、及び光学系に起因する非点収差などが存在する。これらの収差の中で特に前述の球面収差は、光ディスクの記録密度が高密度化するに伴って影響が大きくなり、この球面収差を補正する技術が、今後の光ディスクの高密度化を実現する重要な要素の一つになっている。
【０００３】
この球面収差を補正するために、光学レンズを光軸方向に摺動させて、球面収差を打ち消す手段を備えた光ピックアップ装置が開示されている（例えば、特許文献１参照のこと）。この光ピックアップ装置は、光源と、光源からの光ビームを高密度の光ディスクの記録層に集光させる対物レンズと、光源と対物レンズの間に、光学レンズを光軸方向に移動させて、球面収差を打ち消すための光学レンズ駆動装置を備えている。
【０００４】
また、この光学レンズ駆動装置は、光学レンズを保持したレンズホルダと支持基板に設けられた摺動軸とが係合し、ステップモータによる回転駆動力が、伝達方向変換機構によってレンズホルダに伝えられて、レンズホルダが摺動軸方向に移動する機構を備えている。さらに、このレンズホルダには遮蔽板が付設されており、レンズホルダの移動により、支持基板に配置されたフォトセンサに遮蔽板を挿脱されることによって、光学レンズを保持するレンズホルダの原点位置を決定することができる様になっている。そして、この原点位置を始点として、レンズホルダを光軸方向に移動させる。
【０００５】
この様な光学レンズ駆動装置によれば、ステップモータによって光軸方向に移動させる光学レンズの原点位置を正確に把握することができるので、ここを始点として光学レンズを移動させて、光ディスクの情報の読み取りまたは書き込みエラーの要因となっていた球面収差を打ち消すことができる。
【０００６】
【特許文献１】特開２００３−１３１１１３号公報（第３―４頁、第１図）
【発明の開示】
【発明が解決しようとする課題】
【０００７】
特許文献１に記載された光学レンズ駆動装置により、レンズホルダの移動によって遮蔽板をフォトセンサに挿脱されることで、正確にレンズホルダの原点位置を決定することはできるが、ステップモータで一旦この原点位置から光学レンズを移動させてしまうと、光学レンズがその後正常に動作しているか確認することはできない。もし、原点位置からレンズホルダが離れた状態で、レンズホルダの位置を特定しようとするならば、２点以上の原点位置の検出が必要となる。この２セット以上のフォトセンサと遮蔽板を、装置に組み込むことは、装置の載置面積が大きくなるため好ましくない。
【０００８】
本発明の目的は上記課題を解決し、レンズホルダを移動させて原点位置を決定するだけでなく、一旦原点位置からレンズホルダが移動したとしても、所望の動作を正確に行っているかを確認することができる光学レンズ駆動装置を備えた光ピックアップ装置および光学レンズ駆動装置を提供することにある。
【課題を解決するための手段】
【０００９】
上記課題を解決するために、本発明の光学レンズ駆動装置は下記記載の構成を採用する。
本発明の光ピックアップ装置は、レーザ光源と対物レンズを含む光学系の光路中に配し、当該光路中で発生する収差を補正するための光学レンズ駆動装置を有する光ピックアップ装置において、この光学レンズ駆動装置が、光学レンズを支持するレンズ支持部と、回転駆動力を当該光学レンズの光軸方向の駆動力に変換する伝達方向変換機構と、遮蔽板とが一体に形成されたレンズホルダと、回転駆動力を発生させるステップモータと、レンズホルダと係合する摺動軸と、摺動軸とステップモータを固定載置するための支持基板と、当該支持基板に取り付けられる、発光素子と受光素子からなるフォトセンサとを備え、レンズホルダを光軸方向に移動させて、受光素子で、第１の採光期間、第１の遮光期間、および第２の採光期間を検出し、レンズホルダが正常に可動しているか否かの動作確認を行うにあたって、第１の遮光期間を、ステップモータに入力される予め設定された規定パルス数によって、伝達方向変換機構の直線移動量に相当する大きさだけ、レンズホルダが移動したかを検知して、動作確認の判断ができる長さに設定することを特徴とするものである。
【００１０】
また、本発明の光ピックアップ装置は、第１の採光期間と第１の遮光期間の間の、受光素子での採光量の第１の変局点を基準としてレンズ位置の原点検出を行い、第１の遮光機関と第２の採光期間の間の受光素子での採光量の第２の変局点を基準として、伝達方向変換機構の直線移動量を検出して動作確認を行うことを特徴とするものである。
【００１１】
また、光ピックアップ装置は、第２の採光期間の後に、第２の遮光期間を設け、第１の採光期間と第１の遮光期間の間の、受光素子での採光量の第１の変局点を基準としてレンズ位置の原点検出を行い、第１の変局点と、第２の採光期間と、第２の遮光期間の間の、受光素子での採光量の第３の変局点を基準として、伝達方向変換機構の直線移動量を検出して、動作確認を行うことを特徴とするものである。
【００１２】
また、光ピックアップ装置は、前述した伝達方向変換機構が、ステップモータを構成する、回転駆動力を外部に伝えるための回転出力歯車と、レンズホルダに固定配置されたラック部により構成されており、回転出力歯車とラック部を歯合させて、ステップモータで発生する回転駆動力によりレンズホルダを移動させることを特徴とするものである。
【００１３】
また、本発明の光学レンズ駆動装置は、光ピックアップ装置に内挿されて、レーザ光源と対物レンズを含む光学系の光路中で発生する収差を補正するための光学レンズ駆動装置であって、光学レンズと、当該光学レンズを支持するレンズホルダと、当該レンズホルダと係合する摺動軸と、回転駆動力を発生させて、レンズホルダを移動させるステップモータと、回転駆動力を光学レンズの光軸方向の駆動力に変換する伝達方向変換機構と、摺動軸とステップモータを固定載置するための支持基板と、レンズホルダまたは伝達方向変換機構に付設された遮蔽板と、支持基板に取り付けられ、遮蔽板の位置を検出する、発光素子と受光素子からなるフォトセンサと、を備え、レンズホルダを光軸方向に移動させて、受光素子で、第１の採光期間、第１の遮光期間、および第２の採光期間を検出し、レンズホルダが正常に可動しているか否かの動作確認を行うにあたって、第１の遮光期間を、ステップモータに入力される予め設定された規定パルス数によって、伝達方向変換機構の直
線移動量に相当する大きさだけ、レンズホルダが移動したかを検知して、動作確認の判断ができる長さに設定することを特徴とするものである。
【発明の効果】
【００１４】
光学レンズの原点位置の把握とともに、一旦、原点位置から移動したとしても、この装置が所望の動作を正確に行っているかの動作確認をすることができる光学レンズ駆動装置を備えた光ピックアップ装置と、その光学レンズ駆動装置を提供することができる。
【発明を実施するための最良の形態】
【００１５】
以下図面に基づいて、本発明の光学レンズ駆動装置、およびその光学レンズ駆動装置を備えた光ピックアップ装置について詳述する。
【実施例１】
【００１６】
まず、本発明の光学レンズ駆動装置の実施例１の構成を図１に基づいて説明する。図１は、本発明の光学レンズ駆動装置の概略図を示す斜視図である。
【００１７】
実施例１の光学レンズ駆動装置１の特徴は、図１に示す様に、遮蔽板４ｄとフォトセンサ２０を有して光学レンズ３の原点位置を検出するだけでなく、その後、予め設定された規定パルス数をステップモータ１０に入力して、レンズホルダ４の動きを検知して、動作確認を行うことにある。
【００１８】
図１において、１は光学レンズ駆動装置である。２は光学レンズ駆動装置１の主な部品を配設し搭載するための支持基板である。この支持基板２の一部は、直角に立ち上がった支持壁を有し、２本のレンズホルダ摺動軸３２ａ、３２ｂを保持している。２０は、発光素子と受光素子からなるフォトセンサであり、これも支持基板２に固定されている。フォトセンサ２０を構成する発光素子と受光素子は、センサのＵ字溝の内側に、対面して載置されている。
【００１９】
また、レンズホルダ４は、光学レンズ３を支持するレンズ支持部４ａ、レンズホルダ摺動軸３２ａ、３２ｂと係合している摺動受け部４ｂと、ラック部４ｃと、フォトセンサ２０のＵ字溝に挿脱されて、受光素子の受光を遮断するための遮蔽板４ｄ−１とが一体成型された構成となっている。なお、本図面では、この遮蔽板４ｄ−１が、摺動受け部４ｂに固定されている例を示している。
【００２０】
また、この光学レンズ駆動装置に電源を入力し、遮蔽板４ｄ−１を移動させるにあたって、フォトセンサ２０の発光素子から発せられ、受光素子に到達する光が、第１の採光期間により受光素子で採光され、第１の遮光期間にて光が遮光され、続けて、第２の採光期間にて再び光を採光できるように各部材が配置されている。また、この遮光板４ｄ−１は、第１の遮光期間が、予め設定された規定パルス数によってレンズホルダが移動する直線移動量に相当する大きさに設定されているとする。このフォトセンサ２０と遮光板４ｄ−１との配置関係による作用については、後述する。
【００２１】
１０は、レンズホルダを光軸５方向に移動させる駆動力を発生させるステップモータであり、支持基板２に固着されている。１１は、ステップモータ１０によって回転駆動される回転出力歯車である。ここで、回転出力歯車１１が、ラック部４ｃと歯合することで、回転出力歯車１１の回転運動を、Ａ方向の直線運動に変換し、伝達方向変換機構として機能する。
【００２２】
３２ａ、３２ｂは、２つのレンズホルダ摺動軸であり、光学レンズ３の光軸５と平行になるように支持基板２に固定される。レンズホルダ４の一部である摺動受け部４ｂは、こ
の２つのレンズホルダ摺動軸３２ａ、３２ｂと摺動自在に係合し、回転出力歯車１１からの駆動力によってラック部４ｃが移動すると、一体となっているレンズホルダ支持部４ａによって支持されている光学レンズ３は、係合するレンズホルダ摺動軸３２ａ、３２ｂにガイドされて、光軸５に沿って矢印Ａの方向に移動する。
【００２３】
次に、この光学レンズ駆動装置のレンズホルダ４を、光軸５方向に動作させたときの、遮蔽板４ｄ−１とフォトセンサ２０の位置関係について説明する。図２は、本発明の光学レンズ駆動装置を上から見た図である。
【００２４】
図２（ａ）に示す状態は、電源が入って、光学レンズ３が図示しない位置決め部材に突き当たって、動作開始点にあるときの状態を示している。この状態では、レンズホルダ４に付設された遮蔽板４ｄ−１は、フォトセンサ２０に挿入されておらず、フォトセンサ２０の発光素子から発せられる光は、遮光されずに受光素子に到達する。
【００２５】
そして、ステップモータ１０の駆動により、レンズホルダ４が、動作開始点からＡ方向（紙面右方向）に移動すると、図２（ｂ）に示す様に、レンズホルダ４に付設された遮蔽板４ｄ−１が、フォトセンサ２０に挿入される。そのとき、フォトセンサ２０の発光素子から発せられ、受光素子に到達する光が、遮蔽板４ｄ−１によって遮光される。
【００２６】
次に、本発明の光学レンズ駆動装置１の特徴部分である遮蔽板の詳細について図３、図４に基づいて説明する。図３は、本発明の光学レンズ駆動装置における遮蔽板とフォトセンサの位置関係について示した図である。本図（ａ）〜(ｇ)は、遮蔽板４ｄ−１が、光軸方向に移動したときの遮蔽板４ｄ−１と、フォトセンサにおける発光素子からの光を、受光素子が受け取る採光範囲３０との位置関係を説明するための図面である。なお、本図面は、フォトセンサのＵ字溝内の受光素子側から見た図面となっている。また、図４は、図３（ａ）〜（ｇ）の状態におけるフォトセンサ２０における受光素子の採光量を示す図面であり、縦軸に受光素子の採光量を、横軸に遮蔽板４ｄ−１のフォトセンサに対する位置関係を示している。なお、本図の横軸の遮蔽板位置に示すａ〜ｇは、図３（ａ）〜（ｇ）の遮蔽板の位置を示している。
【００２７】
図２を用いて説明したように、ステップモータ１０で発生する回転駆動力が直線駆動力に変換されて、レンズホルダ４が矢印Ａ方向に移動する。それに伴って、レンズホルダ４における遮蔽板４ｄ−１は、支持基板２に固定されたフォトセンサ２０の採光範囲３０に対して、図３（ａ）の位置関係から移動を始める。
【００２８】
遮蔽板４ｄ−１は、図３（ａ）の状態のとき、フォトセンサ２０の受光素子が遮蔽板４ｄ−１に遮光されることなく発光素子の光を採光するので、図４では、採光量が１００％となる。
【００２９】
次に、図３（ｂ）に示す様に、遮蔽板４ｄ−１が採光範囲３０にかかり始めると（このときの状態を第１の変局点とする。）、図４に示す様に、フォトセンサ２０の採光量が、第１の変局点を境に徐々に減少してゆき（図３（ｃ））、遮蔽板４ｄ−１が採光範囲３０を完全に覆う状態で（図３（ｄ））、図４に示す採光量が、０％となる。
【００３０】
次に、図３（ｆ）に示す様に、レンズホルダ４を移動させていくと、遮蔽板４ｄ−１は、採光範囲３０を通り過ぎて、図４に示す様に、採光量が徐々に増加する。
【００３１】
次に、遮蔽板４ｄ−１全部が採光範囲３０から外れると（図３（ｆ））（この状態を第２の変局点とする。）、図３（ｇ）、図４に示す様に、採光量は、再び１００％の一定の値となって安定した値となる。
【００３２】
なお、上記説明では、遮蔽板４ｄ−１が、図３（ａ）から図３（ｇ）の状態に移動する際の採光量の変化ついて説明したが、これとは逆に、図３（ｇ）から図３（ａ）の状態へ、遮蔽板４ｄ−１を移動させる際に、レンズホルダが正常に動作しているのかを確認するための動作検出を行うこともできる。
【００３３】
ここで、図２に示した遮蔽板４ｄ−１を移動させることによって生ずる、図４に示した採光量の変化により、光学レンズの原点位置の検出の仕方について説明する。
【００３４】
図３に示すように遮蔽板４ｄ−１を移動させることで、フォトセンサ２０の発光素子から発せられ、受光素子に到達する光は、図４に示す、第１の採光期間と、第１の遮光期間と、第２の採光期間とに分けて考えることができる。ここで、採光期間とは、受光素子の採光量が、所定の割合以上にあるときのことを指し、遮光期間とは、受光素子の採光量が、所定の割合以下にあるときを示している。図４では、その一例として、所定の割合を５０％とした場合を例を示している。
【００３５】
図４に示す様に、原点位置を検出するために決めた受光素子の採光量の割合を５０％とする場合、まず、採光量の低下が始ったと判断した第１の変局点の採光量（採光量：１００％）を基準値として、採光量が５０％以下となった位置（遮蔽板位置：ｃ）を検出し、この点を原点位置とする。さらに、この原点位置から予め設定された直線移動量（図３（ａ）の幅ｔ１）に相当するパルス数（以下、規定パルス数という。）より、１パルスだけ少ないパルスをステップモータに送り、レンズホルダを移動させたところでの採光量と、規定パルス数を送ったところでの採光量とを比較する。
【００３６】
まず、規定パルス数より１パルス少ないパルスをステップモータに送って、レンズホルダを移動させたところでの採光量が、第２の変局点での採光量の５０％以下であり、さらに１パルスをステップモータに送って、レンズホルダを移動させたところでの採光量が、第１の変局点での採光量の５０％以上になっているかを確認する。このように、原点位置の確認、および動作確認位置の結果が得られれば、規定パルスをステップモータに送ったことで、予め設定された規定パルス分に相当する直線移動量を、レンズホルダが移動したとみなし、この光学レンズ駆動装置は、正確に動作していると判断する。
【００３７】
なお、実施例１では変局点における採光量５０％を閾値として、レンズホルダの原点位置や、レンズホルダを原点位置から正常に動作しているのかの動作確認を行う場合についてのみ述べたが、原点位置および動作確認を行う際に用いる採光量を他の採光値とし、その採光値に合わせて遮光板の遮光範囲を調整することでも、本願発明と同様な効果を得ることができる。
【実施例２】
【００３８】
次に、本発明の光学レンズ駆動装置１における遮蔽板の他の構成例について説明する。
【００３９】
実施例１と実施例２の光学レンズ駆動装置１の相違点は、遮蔽板の構成と、原点位置と動作確認の仕方にあるが、その他の構成は、実施例１にて説明した構成と同じとなっている。また、ステップモータ１０によるレンズホルダ４の動作に関しても、図２で示したものと同じである。従って、以下の説明は、遮蔽板の構成、およびそのときの受光素子の採光量との関係を主に説明をし、実施例１の構成と同じ他の用件の説明は、割愛する。
【００４０】
図５（ａ）は、実施例１で示した遮光板の構成を、図５（ｂ）に実施例２における遮光板の構成を示した図面である。
【００４１】
図５（ａ）に示す実施例１で示した遮蔽板４ｄ−１に対して、図５（ｂ）に示す、本実施例における遮蔽板４ｄ−２は、幅ｔ１の遮光部分と、幅ｔ２の開口部分を有する破線で囲った領域Ｂ１、Ｂ２は、共通した構成となっているが、破線の右側エリアが異なる形状となっている。
【００４２】
ここで、破線エリアである領域Ｂ１、Ｂ２が同形状となっているので、遮光板４ｄ−１、４ｄ−２とがフォトセンサのＵ字溝に挿入された場合の受光素子の採光量は、図４で説明したと全く同じ挙動として、第１の採光期間から第１の遮光期間へと移行し、第２の採光期間となり、さらに第２の遮光期間へと移行する。なお、この遮光板４ｄ−１、４ｄ−２は、第１の遮光期間から第２の採光期間が、予め設定された規定パルス数によって、レンズホルダが移動する直線移動量に相当する大きさに設定されているとする。
【００４３】
図６は、本発明の光学レンズ駆動装置のレンズホルダに付設された遮蔽板とフォトセンサとの位置関係を示した図であり、図６（ｈ）〜（ｋ）は、遮蔽板４ｄ−２が移動したときの、遮蔽板４ｄ−２と採光範囲３０の位置関係を示したものである。また、図７は、本実施例における遮蔽板４ｄ−２の、フォトセンサの採光範囲３０に対する位置と、フォトセンサの採光量との関係を示す図面であり、本図の縦軸に採光量を、横軸に遮蔽板位置を示している。なお、本図中の横軸に示す遮蔽板位置のａ〜ｆは、図３（ａ）〜（ｆ）で示した遮光板４ｄ−１に置き換えた遮蔽板４ｄ−２の位置を示し、ｈ〜ｋは、図６（ｆ）〜（ｋ）における遮蔽板４ｄ−２の位置を示している。
【００４４】
まず、ステップモータ１０で発生する回転駆動力が直線駆動力に変換されて、レンズホルダ４が光軸方向に移動する。それに伴って、遮蔽板４ｄ−２は、フォトセンサ２０の採光範囲３０に対して、図３（ａ）の位置から移動を始める。このときの受光素子の採光量は、図７のａ点の１００％となる。
【００４５】
続けて、図３（ｂ）〜（ｆ）の位置まで遮蔽板４ｄ−２を移動させ、図７に示す様に、採光量は、１００％から第１の変局点、８０％を経て一旦０％となり、その後、再び８０％を経てから第２の変局点を越えて１００％となる。したがって、ここまでは、図４に示した第１の変局点から第３の変局点までの採光量と同じとなる。
【００４６】
そして、このまま遮蔽板４ｄ−２を移動させると、第２の採光期間の後、遮蔽板４ｄ−２は再び採光範囲３０にかかり始めた状態となる（図６（ｈ））。このときの状態を、第３の変局点とする。この第３の変局点においても、第２の変局点と同様に、受光素子の採光量は、１００％である。
【００４７】
続けて、レンズホルダを移動させると、採光範囲３０と遮蔽板４ｄ−２とがオーバーラップし（図６（ｉ））、図７に示す様に、フォトセンサの採光量が徐々に減少してゆく。
【００４８】
次に、遮光板４ｄ−２が採光範囲３０を完全に覆い（図６（ｊ）から図６（ｋ））、図７に示す様に、受光素子の遮光量が０％となる。
【００４９】
ここで、図７に示した遮蔽板４ｄ−２を移動させることによって生ずる、採光量の変動に基づく、光学レンズを備えたレンズホルダの原点位置の検出の仕方について説明する。
【００５０】
図７に示す様に、原点位置を検出するために決めた、受光素子の採光量の割合を８０％とする場合、まず、採光量の低下が始まったと判断した第１の変局点（採光量：１００％）を基準として、採光量が８０％となった位置（遮蔽板位置：ｃ位置）を検出し、この点を原点とする。次にこの原点位置を基準として、予め設定された直線移動量（図５（ｂ）における幅：ｔ１）に相当する規定パルスより、１パルス少ないパルスをステップモータ
に送り、レンズホルダを移動させたところ（遮蔽板位置：ｉ位置）での採光量が、第３の変局点での採光量の８０％以下であるかを確認する。ここで採光量が８０％以下であったら、更に１パルスをステップモータに送り、ここでの採光量が第３の変局点の採光量を基準として、８０％以上となったかを確認する。
【００５１】
この様に、原点位置の確認、および動作確認位置の確認の結果が得られれば、規定パルスをステップモータに送ったことで、予め設定した規定パルス分に相当する直線移動量を、レンズホルダが移動したこととみなし、光学レンズ駆動装置は、正確に動作していると判断する。
【００５２】
なお、実施例２では、受光素子での採光量を８０％とした例を述べたが、０％より大きく、かつ１００％未満の割合であれば、どの割合に設定したとしても、同様な効果を得ることができる。それは、図５（ｂ）に示した本実施例における遮蔽板４ｄ−２の構成、および検出方法を用いれば、必ず図７に示した採光量のプロファイルの、遮蔽板位置ｂからｄに至る傾きと、遮蔽板位置ｉからｊに至る傾きが、常に一定となるからである。
【００５３】
また、第２の採光期間において、採光範囲３０に遮蔽板が全くかかっていない場合には、第１の変局点と第２の変局点での採光量は、共に１００％と等しくなる。この場合のみ、遮蔽板４ｄ−２を実施例２のような構成にすることで、ある一定の閾値を設けるだけで変局点での採光量を記憶したり計算したりすることなく、外乱などがあったとしても、常に正確に、レンズホルダの動作確認を行うことができる。
【実施例３】
【００５４】
次に本発明の光ピックアップ装置の全体構成の略図を図８のブロック図に基づいて説明する。図８は、本発明の光学レンズ駆動装置を搭載する光ピックアップ装置５０の構成例を示すブロック図である。
【００５５】
図８において、５０は本発明の光ピックアップ装置であり、その内部に光学レンズ駆動装置１を、３つの異なる波長の光ビームを発振するレーザ光源４１ａ〜４１ｃと、対物レンズ４６を含む光学系の光路中に組み込んだ構成としている。
【００５６】
ここで、レーザ光源４１ａは、例えば、波長λ＝４０５ｎｍのレーザ光である光ビーム４２ａを発し、Ｂｌｕ−ｒａｙディスク等の高密度光ディスクに対応する。レーザ光源４１ｂは、例えば、波長λ＝７８５ｎｍのレーザ光である光ビーム４２ｂを発し、ＣＤ等の光ディスクに対応する。レーザ光源４１ｃは、例えば、波長λ＝６６０ｎｍのレーザ光である光ビーム４２ｃを発し、ＤＶＤ等の光ディスクに対応する。
【００５７】
また、４３ａ、４３ｂはプリズムであり、光ビーム４２ａの光路上に配置され、プリズム４３ａは、レーザ光源４１ｂからの光ビーム４２ｂを入射して光路を９０度変更する。また、プリズム４３ｂは、レーザ光源４１ｃからの光ビーム４２ｃを入射して光路を９０度変更する。これにより、光ビーム４２ｂ、４２ｃの光路は、光ビーム４２ａの光路と一致する。４４は偏向ビームスプリッタ（以下、ＰＢＳと略す）であり、光ビーム４２ａ、４２ｂ、４２ｃを通過して、後述する反射光４２ｄの光路を９０度変更する。
【００５８】
また、４５はλ／４位相差板であり、４６は対物レンズであり、共に光ビーム４２ａ〜４２ｃの光路中に配置される。そして、本発明の光学レンズ駆動装置１は、３つのレーザ光源４１ａ、４１ｂ、４１ｃと対物レンズ４６を含む光学系の光路中に備えられて球面収差補正を行う。すなわち、光学レンズ駆動装置１の光学レンズ３は、光ビーム４２ａ〜４２ｃの光路中に置かれ、駆動ＩＣ６２からのモータ駆動信号Ｍ１が、ステップモータ１０に供給され、ステップモータ１０は、摺動機構を介して光学レンズ３を移動させる。
【００５９】
また、液晶素子７１は、光学レンズ駆動装置１と、λ／４位相差板４５との間に配置され、駆動ＩＣ６２からの液晶駆動信号Ｏ１が液晶素子７１に供給されて収差補正を行う。尚、駆動ＩＣ６２は外部から制御信号Ｃ１を入力してステップモータ１０とフォトセンサ２０と液晶素子７１の制御を実行する。
【００６０】
また、４７は情報の再生又は記録が可能な光ディスクであり、対物レンズ４６によって集光された光ビーム４２ａ〜４２ｃが照射され、反射光４２ｄを反射する。４８は集光レンズであり、ＰＢＳ４４によって光路が９０度変更された反射光４２ｄの光路中に配置される。４９は光検出器であって、集光レンズ４８からの反射光４２ｄを入射して電気信号に変換する。
【００６１】
次に、図８に基づいて本発明の光ピックアップ装置６０の動作について説明する。
尚、光ピックアップ装置６０に搭載される本発明の光学レンズ駆動装置１に関連する重複する説明は一部省略する。また説明の前提として、Ｂｌｕ−ｒａｙディスク等の高密度光ディスクを再生する場合を想定して説明する。
【００６２】
図８において、レーザ光源４１ａから４０５ｎｍの光ビーム４２ａが発せられると、光ビーム４２ａは、２つのプリズム４３ａ、４３ｂとＰＢＳ４４を通過し、更に光学レンズ駆動装置１の光学レンズ３と液晶素子７１を通過する。
【００６３】
そして、光ビーム４２ａは、λ／４位相差板４５にて円偏光に変換されて対物レンズ４６を通過し、対物レンズ４６によって集光されてＢｕｌ−ｒａｙディスク等の高密度の光ディスク４７の情報記録面に照射される。光ディスク４７に照射された光ビーム４２ａは、光ディスク４７の情報記録面で反射して反射光４２ｄとなって再び対物レンズ４６と、λ／４位相差板４５を通過する。λ／４位相差板４５を通過した反射光４２ｄは、再び液晶素子７１と光学レンズ駆動装置１の光学レンズ３を通過してＰＢＳ４４に入射する。
【００６４】
ＰＢＳ４４に入射した反射光４２ｄは、ＰＢＳ４４で光路が９０度変更されて、集光レンズ４８によって光検出器４９に集光する。光検出器４９は、反射光４２ｄの強弱を電気信号に変換し、図示しないが光検出信号を外部のコントローラに送り、光ディスク４７に記録された情報を再生する。また、光検出信号を入力するコントローラは、光ビーム４２ａとその反射光４２ｄの収差を補正するために、駆動ＩＣ６２に制御信号Ｃ１を出力し、光学レンズ駆動装置１のステップモータ１０と、液晶素子７１とをそれぞれ制御して光路中で発生する収差を補正し、適切な反射光４２ｄを得る。
【００６５】
ここで、光学レンズ駆動装置１は、駆動ＩＣ６２からのモータ駆動信号Ｍ１によってステップモータ１０を駆動し、出力信号Ｆ１によってフォトセンサ２０の出力を得て、実施例１または実施例２に則して、光学レンズ３の原点位置の検出と、この光学レンズ３の移動が正常に行われているかの動作確認を行う。この光学レンズ３は、摺動機構によって矢印Ａの方向に移動し、対物レンズ４６との位置関係を変化させることにより、光ディスク４７のカバー層の厚み誤差等による球面収差を補正する。特に、Ｂｌｕ−ｒａｙディスク等の高密度光ディスクの再生／記録では、この球面収差が性能に大きく影響するので、球面収差補正は重要である。
【００６６】
また、液晶素子７１を、光学レンズ駆動装置１とλ／４位相差板４５との間に備えることにより、球面収差の補正や、光ディスク４７のチルト角等に起因するコマ収差や光学系に起因する非点収差等の補正を行う。
【００６７】
このように、本発明の光ピックアップ装置５０に、実施例１、２に示した光学レンズ駆
動装置１を組み込むことにより、液晶素子７１と共に機能して光ビームの複数の収差を一括して補正を行い、特に、Ｂｌｕ−ｒａｙディスク等の高密度光ディスクや、多層記録光ディスクの再生／記録に好適に作用する。
【００６８】
尚、ＣＤ等の光ディスクに対応する、レーザ光源４１ｂとＤＶＤ等の光ディスクに対応するレーザ光源４１ｃが、それぞれ発する光ビーム４２ｂ、４２ｃは、それぞれの光路上にあるプリズム４３ａ、４３ｂで、光路が９０度変更され、その後の光路は、光ビーム４２ａと同じ光路を通り、作用は基本的に同じであるので、以降の説明は省略する。
【００６９】
以上のように、本発明の光ピックアップ装置５０は、光学レンズ駆動装置１によって球面収差補正を行い、また、液晶素子７１によってコマ収差や非点収差等の補正を行うことができるので、高精度な収差補正を必要とする高密度光ディスクの記録・再生に好適な光ピックアップ装置５０となる。
【００７０】
なお、上記説明では、外部から制御信号Ｃ１を入力してステップモータ１０とフォトセンサ２０と液晶素子７１の制御を行う駆動ＩＣ６２を、光学レンズ駆動装置１の内部に設けた構成例を示したが、これを光学レンズ駆動装置とは別体として設けたとしても構わない。
【実施例４】
【００７１】
次に図９に基づいて本発明の光ピックアップ装置の全体構成の概略を説明する。図９は、本発明の光学レンズ駆動装置を搭載する光ピックアップ装置の他の構成例を示すブロック図である。
【００７２】
ここで、本実施例の光ピックアップ装置６０の特徴は、搭載される光学レンズ駆動装置１の球面収差補正のために光学レンズが２つで構成されている点にある。尚、実施例３と同一要素には同一番号を付し、重複する説明は省略する。
【００７３】
図９において、６０は本発明の光ピックアップ装置であり、その内部に光学レンズ駆動装置１が組み込まれている。光学レンズ駆動装置１は、実施例１、２で示した光学レンズ駆動装置１と基本的には同じであるが、２つの光学レンズを有し、そのうち一つの光学レンズがステップモータによって移動される点が異なる。
【００７４】
ここで、光ピックアップ装置６０の内部には、レーザ光源４１ａが備えられている。レーザ光源４１ａは、例えば、波長λ＝４０５ｎｍのレーザ光である光ビーム４２ａを発し、Ｂｌｕ−ｒａｙディスク等の高密度光ディスクに対応する。
【００７５】
また、光ビーム４２ａの光路上には、コリメータレンズ５１と、ＰＢＳ４４と、液晶素子７１と、λ／４位相差板４５と、対物レンズ４６とがそれぞれ配置される。そして、光学レンズ駆動装置１は、ＰＢＳ４４と、λ／４位相差板４５との間に置かれ、光学レンズ駆動装置１の２つの光学レンズとしての、凹レンズ８１と凸レンズ８２が光ビーム４２ａの光路上に配置される。
【００７６】
また、光学レンズ駆動装置１を制御する駆動ＩＣ６２は、実施例３と同様に、制御信号Ｃ１を入力し、液晶駆動信号Ｏ１を出力して液晶素子７１を駆動し、また、モータ駆動信号Ｍ１を出力してステップモータ１０を駆動し、フォトセンサ２０の出力信号Ｆ１を得て原点検出し、凹レンズ８１を矢印Ａの方向に移動する。他の構成は、実施例３と同様であるので説明は省略する。尚、実施例４では、実施例３の構成要素であるレーザ光源４１ｂ、４１ｃ等は省略している。
【００７７】
次に、図９に基づいて本発明の光ピックアップ装置６０の作用を説明する。尚、説明の前提として、Ｂｌｕ−ｒａｙディスク等の高密度光ディスクを再生する場合を想定して説明する。
【００７８】
図９において、レーザ光源４１ａから４０５ｎｍの光ビーム４２ａが発せられると、光ビーム４２ａは、コリメータレンズ５１とＰＢＳ４４を通過し、更に、光学レンズ駆動装置１の凹レンズ８１と凸レンズ８２、及び液晶素子７１を通過する。
【００７９】
そして、液晶素子７１から出射した光ビーム４２ａは、λ／４位相差板４５にて円偏光に変換されて対物レンズ４６を通過し、対物レンズ４６によって集光されてＢｌｕ−ｒａｙディスク等の高密度光ディスク４７の情報記録面に照射される。光ディスク４７に照射された光ビーム４２ａは、光ディスク４７の情報記録面で反射して反射光４２ｄとなって再び対物レンズ４６とλ／４位相差板４５を通過する。λ／４位相差板４５を通過した反射光４２ｄは、再び液晶素子７１と光学レンズ駆動装置１の凸レンズ８２と凹レンズ８１を通過し、ＰＢＳ４４に入射する。
【００８０】
そして、ＰＢＳ４４に入射した反射光４２ｄは、ＰＢＳ４４で光路が９０度変更されて集光レンズ４８によって光検出器４９に集光する。光検出器４９は、反射光４２ｄの強弱を電気信号に変換し、図示しないが、光検出信号を外部のコントローラに送り、光ディスク４７に記録された情報を再生する。また、光検出信号を入力するコントローラは、光ビーム４２ａとその反射光４２ｄの収差を補正するために光学レンズ駆動装置１に制御信号Ｃ１を出力し、ステップモータ１０と液晶素子７１を制御して収差を補正し、最適な反射光４２ｄを得る。
【００８１】
このように、実施例４の光ピックアップ装置６０は、光学レンズ駆動装置１を搭載し、２つの光学レンズのうち、凹レンズ８１を移動することによって、光ビームの球面収差を補正する。また、本実施例の光ピックアップ装置６０は、球面収差補正を２つの光学レンズによって行うので、球面収差を高精度に行うことができる。尚、光学レンズ駆動装置１によって移動する光学レンズは、凸レンズ８２でも良く、また、凹レンズ８１と凸レンズ８２の両方でも良い。
【００８２】
以上のように、本発明の実施例４の光ピックアップ装置６０は、実施例３の光ピックアップ装置５０と同様な機能を備え、高密度光ディスクの記録・再生に好適である。尚、本発明の実施例で示した斜視図やブロック図は、この構成に限定されるものではなく、本発明の要旨を満たすものであれば、どのような構成であっても良い。
【図面の簡単な説明】
【００８３】
【図１】本発明の光学レンズ駆動装置の概略を示す斜視図である。
【図２】本発明の光学レンズ駆動装置を上から見た図である。
【図３】本発明の光学レンズ駆動装置の遮蔽板とフォトセンサの関係を示した図である。
【図４】本発明の光学レンズ駆動装置の遮蔽板の位置と採光量との関係を示した図である。
【図５】本発明の光学レンズ駆動装置の遮蔽板の構成を示す図である。
【図６】本発明の光学レンズ駆動装置の遮蔽板とフォトセンサの関係を示した図である。
【図７】本発明の光学レンズ駆動装置の遮蔽板の位置と採光量との関係を示した図である。
【図８】本発明の光学レンズ駆動装置を搭載した光ピックアップ装置の構成を示すブロック図である。
【図９】本発明の光学レンズ駆動装置を搭載した光ピックアップ装置の構成を示すブロック図である。
【符号の説明】
【００８４】
１  光学レンズ駆動装置
２  支持基板
３  光学レンズ
４  レンズホルダ
４ａ  レンズ支持部
４ｂ  摺動受け部
４ｃ  ラック部
４ｄ−１、４ｄ−２  遮蔽板
５  光軸
１０  ステップモータ
１１  回転出力歯車
２０  フォトセンサ
３０  採光範囲
３２ａ、３２ｂ  レンズホルダ摺動軸
４１ａ、４１ｂ、４１ｃ  レーザ光源
４２ａ、４２ｂ、４２ｃ  光ビーム
４２ｄ  反射光
４３ａ、４３ｂ  プリズム
４４  偏向ビームスプリッタ（ＰＢＳ）
４５  λ／４位相差板
４６  対物レンズ
４７  光ディスク
４８  集光レンズ
４９  光検出器
５０、６０  光ピックアップ装置
６２  駆動ＩＣ
７１  液晶素子
８１  凹レンズ
８２  凸レンズ
【図１】
2009076123.tif 000003
【図２】
2009076123.tif 000004
【図３】
2009076123.tif 000005
【図４】
2009076123.tif 000006
【図５】
2009076123.tif 000007
【図６】
2009076123.tif 000008
【図７】
2009076123.tif 000009
【図８】
2009076123.tif 000010
【図９】
2009076123.tif 000011